(57)【要約】【課題】射出成形時に羽根の表面稜線にバリが生じるのを防止でき、羽根のバリ除去に要する製造コストを削減できる射出成形インペラを提供する。【解決手段】射出成形インペラ１は、中心軸部３とその中心軸部３の周囲に等間隔で複数形成された羽根５とを有し、中心軸部３の軸心ＣＬを中心として回転することにより、中心軸部３の軸心ＣＬに沿った方向から隣り合う羽根５，５間に流入した流体を径方向外方側へ向けて流出させる。羽根５は、中心軸部３から径方向に沿って直線状に延びる無修整形状部１０と、この無修整形状部１０から径方向外方端まで延びる円弧状の流れ修整部１３とを有し、中心軸部３の軸心ＣＬに沿った一端７側から他端８側に向かって螺旋状に形成されている。【選択図】図７
2018062883.tif 000002
【特許請求の範囲】
【請求項１】
中心軸部と前記中心軸部の周囲に等間隔で複数形成された羽根とを有し、前記中心軸部の軸心を中心として回転することにより、前記中心軸部の軸心に沿った方向から隣り合う前記羽根間に流入した流体を径方向外方側へ向けて流出させる射出成形インペラにおいて、
前記羽根は、前記中心軸部から径方向に沿って直線状に延びる無修整形状部と、この無修整形状部から径方向外方端まで延びる円弧状の流れ修整部とを有し、前記中心軸部の軸心に沿った一端側から他端側に向かって螺旋状に形成された、
ことを特徴とする射出成形インペラ。
【請求項２】
前記羽根は、前記中心軸部の軸心に沿った一端側から他端側に向かって一定のねじれ角で螺旋状に形成された、
ことを特徴とする請求項１に記載の射出成形インペラ。
【請求項３】
前記流れ修整部は、回転方向と逆の方向に向かって滑らかに湾曲して延びている、
ことを特徴とする請求項１又は２に記載の射出成形インペラ。
【請求項４】
前記流れ修整部は、回転方向と同一の方向に向かって滑らかに湾曲して延びている、
ことを特徴とする請求項１又は２に記載の射出成形インペラ。
【請求項５】
前記中心軸部の外周側には、前記複数の羽根を接続し、且つ、隣り合う前記羽根間の流路の底面を形作る羽根支持部が形成され、
前記羽根支持部は、前記中心軸部の軸心に沿った方向から隣り合う前記羽根間に流入した流体を前記中心軸部の前記軸心に直交する径方向外方側へ向けて滑らかに案内する湾曲面状の外表面が形成され、
前記羽根支持部の前記外表面で且つ隣り合う前記羽根間には、前記羽根の流体流入側を切り欠いたような形状の補助羽根が形成された、
ことを特徴とする請求項１乃至４のいずれかに記載の射出成形インペラ。
【発明の詳細な説明】
【技術分野】
【０００１】
この発明は、軸方向に沿って流入した流体を径方向外方へ向けて流出させる射出成形インペラに関する。
【背景技術】
【０００２】
近年、樹脂製のインペラは、射出成形により製造されている。すなわち、樹脂製インペラは、金型のキャビティ内に溶融樹脂を射出し、金型のキャビティ内に射出した溶融樹脂が冷却固化した後、金型のキャビティ内から取り出される射出成形品（射出成形インペラ）である。
【０００３】
図８は、このような射出成形インペラ１００の射出成形金型１０１を示す図である。なお、図８（ａ）は、第１金型１０２を取り除いて示す第２金型１０３の平面図である。また、図８（ｂ）は、射出成形金型１０１の縦断面図である。
【０００４】
この図８に示すように、射出成形インペラ１００の射出成形金型１０１は、第１金型１０２と第２金型１０３の型合わせ面１０４側にキャビティ１０５が形成され、このキャビティ１０５に複数の中駒１０６がスライド移動できるように配置され、各中駒１０６間の隙間に流れ込んだ溶融樹脂によって羽根１０７が形成されるようになっている。各中駒１０６は、第１金型１０２と第２金型１０３が分離した後（型開きした後）、射出成形インペラ１００の径方向外方へスライド移動させられ、射出成形インペラ１００から分離させられることによって、射出成形インペラ１００と第２金型１０３との分離を可能にしている（特許文献１参照）。
【先行技術文献】
【特許文献】
【０００５】
【特許文献１】実開平１−７６５２５号公報（特に、第４頁第１１行乃至第１８行の記載参照）
【発明の概要】
【発明が解決しようとする課題】
【０００６】
しかしながら、図８に示す射出成形インペラ１００は、各中駒１０６と第１金型１０２との型割面（分割面）１０８ａ〜１０８ｃが羽根１０７の表面に位置するため、各羽根１０７の表面稜線に沿ってバリが生じやすい。例えば、遠心圧縮機に使用される射出成形インペラ１００は、羽根の表面稜線にバリが生じると、その羽根１０７のバリによって流体の流れが妨げられ、遠心圧縮機の効率が低下する。そのため、図８に示す射出成形インペラ１００は、各羽根１０７の表面稜線に生じたバリを研磨加工等の二次加工によって除去するようになっており、製造コストが嵩むという問題を有していた。
【０００７】
そこで、本発明は、射出成形時に羽根の表面稜線にバリが生じるのを防止でき、羽根のバリ除去に要する製造コストの削減を可能にする射出成形インペラの提供を目的とする。
【課題を解決するための手段】
【０００８】
本発明は、中心軸部３と前記中心軸部３の周囲に等間隔で複数形成された羽根５とを有し、前記中心軸部３の軸心ＣＬを中心として回転することにより、前記中心軸部３の軸心ＣＬに沿った方向から隣り合う前記羽根５，５間に流入した流体を径方向外方側へ向けて流出させる射出成形インペラ１に関するものである。本発明において、前記羽根５は、前記中心軸部３から径方向に沿って直線状に延びる無修整形状部１０と、この無修整形状部１０から径方向外方端まで延びる円弧状の流れ修整部１１，１３とを有し、前記中心軸部３の軸心ＣＬに沿った一端７側から他端８側に向かって螺旋状に形成されている。
【発明の効果】
【０００９】
本発明に係る射出成形インペラは、羽根が中心軸部の軸心に沿った一端側から他端側に向かって螺旋状に形成されているため、射出成形金型の一部（中駒部）を相対回動させながら、射出成形金型の一部（中駒部）を中心軸部の軸心に沿った方向へ相対移動させるだけで、射出成形金型の一部（中駒部）から分離することができる。その結果、本発明に係る射出成形インペラは、従来例のような複数の中駒を射出成形金型のキャビティ内にスライド移動可能に設ける必要がなくなり、従来例のような中駒と金型との型割面が羽根の表面に位置するようなことがなくなるため、羽根の表面稜線にバリが生じるのを防止でき、羽根のバリ除去に要する製造コストの削減を可能にする。
【図面の簡単な説明】
【００１０】
【図１】本発明の実施例に係る射出成形インペラを示す図であり、図１（ａ）が射出成形インペラの平面図、図１（ｂ）が射出成形インペラの正面図、図１（ｃ）が射出成形インペラの裏面図である。
【図２】図２（ａ）は本発明の実施例に係る射出成形インペラの羽根の基本形状を簡略化して示す断面図、図２（ｂ）は図１に示す射出成形インペラの羽根の形状を簡略化して示す断面図、図２（ｃ）は図１に示す射出成形インペラの補助羽根の形状を簡略化して示す断面図である。
【図３】図３（ａ）は図２（ａ）に示す羽根の上端面（中心軸部の軸心に沿った一端側の端面）の形状を示す図であり、図３（ｂ）は図２（ａ）に示す羽根の上端面と下端面（中心軸部の軸心に沿った他端側の端面）との位置関係を示す図（羽根のねじれの程度を示す図）である。
【図４】羽根の高さ位置（中心軸部の軸心に沿った方向の位置）と羽根の径方向外方端の位置との関係を示す図（羽根のねじれ状態を示す図）である。
【図５】図５（ａ）は射出成形インペラの第１成形工程における射出成形金型の断面図であり、図５（ｂ）は射出成形インペラの第２成形工程における射出成形金型の断面図である。
【図６】図６（ａ）は射出成形インペラの第３成形工程における射出成形金型の断面図であり、図６（ｂ）は射出成形インペラの取り出し工程を示す射出成形金型の断面図である。
【図７】本発明の変形例に係るインペラを示す図であり、図７（ａ）は本変形例に係るインペラの羽根の基本形状を簡略化して示す図、図７（ｂ）は本変形例に係るインペラの平面図、図７（ｃ）は本変形例に係るインペラの正面図である。
【図８】従来の射出成形インペラの射出成形金型を示す図であり、図８（ａ）が第１金型を取り除いて示す第２金型と複数の中駒の平面図、図８（ｂ）が射出成形金型の縦断面図である。
【発明を実施するための形態】
【００１１】
以下、本発明の実施例を図面に基づき詳述する。
【００１２】
（インペラ）
図１は、本発明の実施例に係る射出成形インペラ１（以下、インペラ１と略称する）を示す図である。なお、図１（ａ）は、インペラ１の平面図である。また、図１（ｂ）は、インペラ１の正面図である。また、図１（ｃ）は、インペラ１の裏面図である。
【００１３】
図１に示すように、本実施例に係るインペラ１は、軸穴２が形成された円筒状の中心軸部３と、この中心軸部３の外周側に一体に形成された略テーパ形状の羽根支持部４と、中心軸部３の外周面３ａ及び羽根支持部４の外表面４ａに跨って形成され且つ中心軸部３の周囲に等間隔で位置するように複数形成された羽根５と、隣り合う羽根５，５間の羽根支持部４の外表面４ａに形成された補助羽根６とを有している（図２参照）。このようなインペラ１は、炭素繊維含有ＰＥＥＫ、炭素繊維含有ＰＰＳ等の合成樹脂材料を使用して射出成形される。
【００１４】
羽根５は、中心軸部３の軸心ＣＬに沿った一端７側から他端８側に向かって一定のねじれ角（θ）で螺旋状に形成されている（図３及び図４参照）。この羽根５のねじれ方向は、図１（ａ）に示すように、インペラ１が反時計回り方向（左回り方向）に回転させられる場合、中心軸部３の軸心ＣＬに沿った一端７側から他端８側へ向かって時計回り方向（右回り方向）のねじれとなるように形成されている。なお、図４は、羽根５の高さ位置（中心軸部３の軸心ＣＬに沿った方向の位置Ｚ０〜Ｚｎ）と羽根５の径方向外方端の位置（ｒ０〜ｒｎ）との関係を示す図（羽根５のねじれ状態を示す図）であり、羽根５が一定のねじれ角θで形成されていることを示している。
【００１５】
図２（ａ）及び図３（ａ）は、インペラ１の羽根５の基本形状を簡略化して示す図であり、インペラ１の断面図である。これらの図に示すように、羽根５は、薄板状に形成されており、中心軸部３の外周面３ａから中心軸部３の軸心ＣＬに直交する径方向外方側へ向かって延び、その径方向外方端が羽根支持部４の径方向外方端に一致している。そして、羽根５は、径方向内方端（中心軸部３の外周面３ａ）から径方向に沿って（径方向外方側へ向かって）直線状に延びる無修整形状部１０と、この無修整形状部１０から径方向外方端まで延びる円弧状の流れ修整部１１と、を有している。この羽根５の流れ修整部１１は、無修整形状部１０に滑らかに接続されており、インペラ１の回転方向と逆の方向に向かって滑らかに湾曲して延びている。そして、流れ修整部１１の径方向外方端は、羽根の径方向外方端であり、流体の流出端になる。なお、図４の羽根５の高さ寸法（ｈ）は、図２（ａ）において、中心軸部３の軸心ＣＬに沿った羽根５の一端Ｚ０から羽根５の他端Ｚｎまでの軸心ＣＬに沿った長さ寸法である。
【００１６】
図２（ｂ）は、図１に示したインペラ１の羽根５の形状を簡略化して示す図であり、インペラ１の断面図である。この図２（ｂ）に示すインペラ１の羽根５は、インペラ１を遠心圧縮機のケース等に収容するため、図２（ａ）に示した羽根５の径方向外方端側で且つ軸心ＣＬに沿った一端７側を略１／４楕円形状に切り欠いた形状になっている。
【００１７】
図２（ｃ）は、図１に示したインペラ１の補助羽根６の形状を簡略化して示す図であり、インペラ１の断面図である。この図２（ｃ）に示すインペラ１の補助羽根６は、図２（ｂ）に示した羽根５の軸心ＣＬに沿った一端７から高さ寸法ｈの６０％を切り欠いた形状（羽根５の流体流入側を切り欠いたような形状）になっている。
【００１８】
図１及び図２に示すように、インペラ１の羽根支持部４は、複数の羽根５を接続し、且つ、隣り合う羽根５，５間の流路の底面を形作るようになっており、中心軸部３の肉厚寸法と同様の肉厚寸法に形成された板状体である。この羽根支持部４の外表面４ａは、中心軸部３の軸心ＣＬに沿った方向から隣り合う羽根５，５間に流入した流体を中心軸部３の軸心ＣＬに直交する径方向外方側へ向けて滑らかに案内する湾曲面状になっている。この羽根支持部４の裏面４ｂと中心軸部３の外周面３ａとの間には、中心軸部３の軸心ＣＬに沿った断面形状が略三角形状の肉抜き部１０が形成されている。
【００１９】
（射出成形金型）
図５乃至図６は、本発明の実施例に係るインペラ１の射出成形金型２０を示す図である。これらの図に示すように、射出成形金型２０は、固定側金型２１と、可動側金型２２と、これら固定側金型２１と可動側金型２２との間に配置されたキャビティ駒２３と、を有している。そして、図５（ａ）に示すように、射出成形金型２０は、キャビティ駒２３を固定側金型２１と可動側金型２２との間に挟み込む型締め時に、キャビティ駒２３の内部空間がインペラ１を形作るためのキャビティ２４になるように構成されている。また、キャビティ駒２３は、支持駒部２５と、この支持駒部２５に軸受２６を介して回転可能に支持された中駒部２７と、を有している。
【００２０】
（射出成形方法）
図５乃至図６を参照し、本実施例に係るインペラ１の射出成形方法を説明する。
【００２１】
図５（ａ）に示すように、キャビティ駒２３の中駒部２７が固定側金型２１に接触し且つ可動側金型２２がキャビティ駒２３の中駒部２７に接触した型締め状態において、中駒部２７の内部にインペラ１を形作るためのキャビティ２４が形成され、このキャビティ２４内に固定側金型２１のゲート２８から溶融樹脂が射出される（第１成形工程）。
【００２２】
この第１成形工程において、キャビティ２４内にゲート２８から射出された溶融樹脂は、インペラ１の軸心ＣＬに沿った一端７側に位置する小径部分側からインペラ１の軸心ＣＬに沿った他端８側ｂに位置する大径部分側へ円滑に流動するようになっている。そのため、本実施例に係るインペラ１の射出成形方法は、例えば、インペラ１の軸心ＣＬに沿った他端８側に位置する大径部分側からインペラ１の軸心ＣＬに沿った一端７側に位置する小径部分側へ向けて流動するようにゲート２８が配置される場合と比較し、キャビティ２４（特に、羽根５を形作る部分）への充填効率が良くなる。また、射出成形金型２０のゲート２８は、インペラ１の軸心ＣＬに沿った一端７側の小径部分側に配置されているため、インペラ１の軸心ＣＬに沿った他端８側に位置する大径部分の羽根５及び補助羽根６の末端まで保圧を十分に加えることができる。その結果、本実施例に係る射出成形金型２０を使用したインペラ１の射出成形方法によれば、高精度のインペラ１を製造することができる。
【００２３】
次に、キャビティ２４内に射出された溶融樹脂を保圧した状態で冷却固化した後、図５（ｂ）に示すように、キャビティ駒２３と可動側金型２２を一体として固定側金型２１から分離し、キャビティ２４内のインペラ１（キャビティ２４内で固化した樹脂）とゲート２８内の樹脂とを切り離す（第２成形工程）。そして、キャビティ駒２３及び可動側金型２２は、図５（ａ）の型締め位置から図５（ｂ）の第１の離型位置まで一体となって移動する。
【００２４】
この第２成形工程において、キャビティ２４内で冷却固化した樹脂材料製のインペラ１は、金属製のキャビティ駒２３及び可動側金型２２よりも収縮率が大きいため、羽根５及び補助羽根６を形作るための中駒部２７の螺旋状溝３０と羽根５及び補助羽根６との間に隙間が生じ、羽根支持部４が可動側金型２２の軸型部３１及び円錐台形状部３２を締め付ける。また、この第２成形工程において、インペラ１は、羽根５及び補助羽根６が中駒部２７の螺旋状溝３０で形作られ、表面に従来例のような型割面が位置しないため、表面にバリが生じない。
【００２５】
次に、キャビティ駒２３が可動側金型２２と共に第１の離型位置（図５（ｂ）に示す位置）まで移動した後、可動側金型２２がキャビティ駒２３から分離して第２の離型位置（図６（ａ）に示す位置）へ向けて移動すると、インペラ１の羽根支持部４が可動側金型２２の軸型部３１及び円錐台形状部３２を締め付けた状態で可動側金型２２と共に移動し、インペラ１の螺旋状の羽根５及び補助羽根６が中駒部２７の螺旋状溝３０内をスライド移動する（図５（ｂ）及び図６（ａ）参照）。その結果、キャビティ駒２３の中駒部２７は、可動側金型２２と一体に移動するインペラ１の羽根５及び補助羽根６によって回動させられて、可動側金型２２と一体に移動するインペラ１から分離される（第３成形工程）。
【００２６】
次に、図６（ａ）に示すように、可動側金型２２が第２の離型位置まで移動すると、インペラ１は、可動側金型２２に収容されたエジェクタスリーブ３３及びエジェクタピン３４で押されて可動側金型２２から分離され、射出成形金型２０から取り出される（図６（ｂ）参照）。
【００２７】
（本実施例の効果）
以上のような本実施例に係るインペラ１は、羽根５及び補助羽根６が一定のねじれ角θで形成され、螺旋状の羽根５及び補助羽根６が中駒部２７の螺旋状溝３０内をスライド移動することができるため、キャビティ駒２３の中駒部２７を相対回動させながら、キャビティ駒２３の中駒部２７を中心軸部３の軸心ＣＬに沿った方向に相対移動させることができ、キャビティ駒２３の中駒部２７から円滑に分離することが可能になる。その結果、本実施例に係るインペラ１は、羽根５及び補助羽根６を中駒部２７に彫り込まれた螺旋状溝３０（キャビティ２４の一部）で形作ることができ、中駒部２７が各羽根５毎に分割されておらず、羽根５及び補助羽根６の表面に型割面が位置しないため、羽根５及び補助羽根６の表面にバリが生じることがなく、後加工としてのバリ除去に要する製造コストを削減できる。このような本実施例に係るインペラ１に対し、図８に示した従来のインペラ１００は、各中駒１０６と第１金型１０２との型割面（分割面）１０８ａ〜１０８ｃが羽根１０７の表面に位置するため、各羽根１０７の表面稜線に沿ってバリが生じやすい。
【００２８】
また、本実施例に係るインペラ１は、羽根５及び補助羽根６がインペラ１の回転方向と逆の方向に向かって滑らかに湾曲して延びる流れ修整部１１を有するため、羽根５及び補助羽根６が無修整形状部１０のみからなるインペラよりも効率（回転エネルギーを流体の運動エネルギーに変換する効率）を向上させることが可能になった。
【００２９】
（インペラの第１変形例）
図７は、上記実施例に係るインペラ１の第１変形例を示す図である。なお、図７（ａ）は、本変形例に係るインペラ１の羽根５の基本形状を簡略化して示す図であり、図３（ａ）に対応する図である。また、図７（ｂ）は、本変形例に係るインペラ１の平面図であり、図１（ａ）に対応する図である。また、図７（ｃ）は、本変形例に係るインペラ１の正面図であり、図１（ｂ）に対応する図である。また、本変形例に係るインペラ１は、図１に示すインペラ１に対応する部分に同一符号を付し、図１に示すインペラ１と重複する説明を省略する。
【００３０】
図７に示すように、インペラ１の羽根５は、薄板状に形成されており、中心軸部３の外周面３ａから中心軸部３の軸心ＣＬに直交する径方向外方側へ向かって延び、その径方向外方端が羽根支持部４の径方向外方端に一致している。この羽根５は、図４に示したように一定のねじれ角（θ）で螺旋状に形成されている。そして、羽根５は、径方向内方端（中心軸部３の外周面３ａ）から径方向に沿って直線状に延びる無修整形状部１０と、この無修整形状部１０から径方向外方端まで延びる円弧状の流れ修整部１３と、を有している。この羽根５の流れ修整部１３は、無修整形状部１０に滑らかに接続されており、インペラ１の回転方向と同一の方向に向かって滑らかに湾曲して延びている。なお、図７（ｂ）及び図７（ｃ）に示すインペラ１は、羽根５が図２（ｂ）に示したように形成され、補助羽根６が図２（ｃ）に示したように形成されている。
【００３１】
以上のような構成の本変形例に係るインペラ１は、上記実施例に係るインペラ１と同様の射出成形方法によって成形され、上記実施例の効果と同様の効果を得ることができる。
【００３２】
また、本変形例に係るインペラ１は、羽根５及び補助羽根６がインペラ１の回転方向と同一の方向に向かって滑らかに湾曲して延びる流れ修整部１３を有するため、羽根５及び補助羽根６が無修整形状部１０のみからなるインペラよりも高出力化することが可能になった（上記実施例に係るインペラ１と同じ回転数で、上記実施例に係るインペラ１よりも高い出力を得ることが可能になった）。
【００３３】
（インペラの第２変形例）
本発明に係るインペラ１は、上記実施例及び上記各変形例のインペラ１に限定されず、羽根５及び補助羽根６が弾性変形した状態で中駒部２７の螺旋状溝３０内をスライド移動でき、羽根５及び補助羽根６が中駒部２７を回転させながら中駒部２７から円滑に分離される限り、ねじれ角を中心軸部３の軸心ＣＬに沿った一端７側から他端８側に向かって変化させてもよい。
【００３４】
（インペラの第３変形例）
本発明に係るインペラ１は、上記実施例及び上記各変形例のインペラ１に限定されず、補助羽根６の高さ（ｈ１）を羽根５の最大径や求められている出力性能に応じた最適の寸法に決定することができる。
【００３５】
（インペラの第４変形例）
また、本発明に係るインペラ１は、上記実施例及び上記各変形例のインペラ１に限定されず、羽根５のみで求められている性能を発揮できる場合、補助羽根６を省略してもよい。
【符号の説明】
【００３６】
１……インペラ（射出成形インペラ）、３……中心軸部、５……羽根、ＣＬ……軸心、７……一端、８……他端、１０……無修整形状部、１１，１３……流れ修整部
【図１】
2018062883.tif 000003
【図２】
2018062883.tif 000004
【図３】
2018062883.tif 000005
【図４】
2018062883.tif 000006
【図５】
2018062883.tif 000007
【図６】
2018062883.tif 000008
【図７】
2018062883.tif 000009
【図８】
2018062883.tif 000010